(57)【要約】【課題】  通帳類の表紙の硬度や材質に係わらず、確実に捲ることができるようにする。【解決手段】  搬送ローラ対８１ａ〜８１ｄによって搬送される通帳類Ｔの表紙Ｔａの搬送方向先端部を捲りローラ８２に当接させ、この当接後、捲りローラ８２を回転させるとともに移動させて表紙Ｔａの先端部側を持ち上げて捲りローラ８２上に捲り上げ、この捲り上げ後に通帳類Ｔを搬送することにより表紙Ｔａに対し捲りローラ８２により反搬送方向の力を付与して表紙Ｔａを綴目部Ｔｔを中心に開いて開帳させる。【選択図】      図９
2005144756.tif 000002
【特許請求の範囲】
【請求項１】
表紙と中紙とが綴目部を介して綴じられる通帳類を前記綴じ目部の反対側の端部を先端にして搬送する搬送手段と、
この搬送手段によって搬送される前記通帳類の表紙側の搬送方向先端部に当接する捲りローラと、
この捲りローラに前記通帳類の表紙側の搬送方向先端部が当接されたのに基づき、前記捲りローラを回転させるとともに移動させて前記表紙側の搬送方向先端部側を持ち上げて前記捲りローラ上に捲り上げる駆動手段と、
前記通帳類の表紙が前記捲りローラ上に捲り上げられたのに基づき、前記通帳類を搬送方向に搬送させて前記捲りローラを介して前記表紙に反搬送方向の力を付与することにより、前記表紙を前記綴目部を中心に開いて開帳させる制御手段と
を具備することを特徴とする通帳類捲り装置。
【請求項２】
前記捲りローラは第１の方向に回転することにより前記表紙及び中紙の一部の先端部側を持ち上げて前記捲りローラ上に捲り上げたのち、前記第１の方向とは逆の第２の方向に回転して前記中紙を捲り戻すことを特徴とする請求項１記載の通帳類捲り装置。
【請求項３】
前記通帳類はその表紙が硬質で、大きく屈曲できないことを特徴とする請求項１記載の通帳類捲り装置。
【請求項４】
前記通帳類はその表紙に無線ＩＣを備えることを特徴とする請求項１記載の通帳類捲り装置。
【請求項５】
前記通帳類にはその表紙の摩擦係数を異にする複数種のものがあることを特徴とする請求項１記載の通帳類捲り装置。
【請求項６】
前記通帳類にはその屈曲率を異にする複数種のものがあることを特徴とする請求項１記載の通帳類捲り装置。
【発明の詳細な説明】
【技術分野】
【０００１】
本発明は、例えば、通帳類発行機に搭載されて通帳類の頁を自動的に捲る通帳類捲り装置に関する。
【背景技術】
【０００２】
通帳類の自動発行を行なう通帳類発行機では、通帳類の頁捲り装置を搭載することで、オペレータの作業自動化に大きく貢献することを可能としている。
【０００３】
この種の通帳類捲り装置としては、図１１に示すようなものが知られている。
【０００４】
この通帳類捲り装置は、図１１（ａ）に示すように搬送されてくる通帳類Ｔの綴目部Ｔｔ側を搬送ローラ対１０２によりクランプした状態で、捲りローラ１０１と通帳押上ガイド１０３を傾斜させる。このとき、通帳押上ガイド１０３によって、通帳類Ｔ全体がカールされ、安定した捲りが実現される。ついで、図１１（ｂ）に示すように捲りローラ１０１を反時計方向に回転させ、一番上位側の表紙Ｔａを捲り上げてカール状態とする。そして、このふくらました表紙Ｔａを図１１（ｃ）に示すようにさらにカールさせ、はじき動作に備える。捲りローラ１０１を反時計方向にさらに回転させることで、図１１（ｄ）に示すように表紙Ｔａ先端が捲りローラ１０１によって持ち上げられる。捲りローラ１０１を反時計方向にさらに回転させることで、図１１（ｅ）に示すように表紙Ｔａの反発力とあわせてはじき、表紙Ｔａ先端が捲りローラ１０１上側に移動される。ついで、図１１（ｆ）に示すように通帳類を左方向に搬送することで、図１１（ｇ）に示すように通帳類Ｔの捲りを完了する（例えば、特許文献１参照。）。
【特許文献１】特開平１０−２５５１０９号公報
【発明の開示】
【発明が解決しようとする課題】
【０００５】
しかしながら、従来においては、通帳押上ガイド１０３によって、通帳類全体をカールさせていたため、通帳類Ｔとしては、通帳類押上ガイド１０３によって通帳類全体がカールするような柔軟性がないと安定した通帳類の捲りが行えないことになる。
【０００６】
また、通帳類Ｔの表紙Ｔａの表面に捲りローラ１０１を圧接して表紙Ｔａをカールさせるため、通帳類Ｔとしては表紙Ｔａの材質や表面状態によっては十分な摩擦力が得られない。このため、表紙Ｔａの表面の材質等の仕様を規定する必要がある。
【０００７】
また、捲りローラ１０１としては、通帳類Ｔから発生する紙紛や捲りローラ１０１の磨耗紛、その他ホコリなどによる摩擦力低下等の問題が発生することから、高摩擦係数を維持できて、高い耐磨耗性を有するようなローラの材質を通帳類に合わせて選定する必要があり、手間取るものとなる。
【０００８】
さらに、通帳類Ｔの表紙Ｔａを屈曲させながら、表紙Ｔａの反発力と合わせてはじき、表紙Ｔａの先端を捲りローラ１０１の上側に捲り上げるため、即ち、通帳類Ｔの表紙Ｔａが大きく屈曲した状態となるため、通帳類Ｔとしては表紙Ｔａにめくり動作で必要な柔軟性をもち、かつ屈曲しても折り目等がつかないような耐屈曲性を併せ持つ必要がある。
【０００９】
また、近年、偽造、変造を防止し、セキュリティ性を向上させるために、クレジットカード、健康保険証カード、身分証明書等において接触式あるいは非接触式のＩＣモジュールを内蔵したカード等が増えてきている。
【００１０】
同様に通帳類においても非接触式のＩＣモジュールが内蔵されることも考えられ、表紙ＴａにＩＣモジュールが埋め込まれたような場合においては、現在の表紙Ｔａと比較して表紙が硬く曲がりにくい材質となることが予想される。
【００１１】
さらに、従来の捲り機構では、表紙自体を撓ませて捲り動作を行うことから、内蔵されたＩＣチップが破損することも考えられる。
【００１２】
以上のような理由から、通帳類Ｔの表紙Ｔａが現状よりも硬くなったり、表紙Ｔａの表面の材質が異なるものになった場合、現状の頁捲り機構では頁捲り動作が安定して行えないという不都合がある。
【００１３】
本発明は上記事情に着目してなされたもので、その目的とするところは、通帳類の表紙の硬度や材質に係わらず、確実に捲ることができるようにした通帳類捲り装置を提供することにある。
【課題を解決するための手段】
【００１４】
上記課題を解決するため、請求項１記載のものは、表紙と中紙とが綴目部を介して綴じられる通帳類を前記綴じ目部の反対側の端部を先端にして搬送する搬送手段と、この搬送手段によって搬送される前記通帳類の表紙側の搬送方向先端部に当接する捲りローラと、この捲りローラに前記通帳類の表紙側の搬送方向先端部が当接されたのに基づき、前記捲りローラを回転させるとともに移動させて前記表紙側の搬送方向先端部側を持ち上げて前記捲りローラ上に捲り上げる駆動手段と、前記通帳類の表紙が前記捲りローラ上に捲り上げられたのに基づき、前記通帳類を搬送方向に搬送させて前記捲りローラを介して前記表紙に反搬送方向の力を付与することにより、前記表紙を前記綴目部を中心に開いて開帳させる制御手段とを具備する。
【発明の効果】
【００１５】
本発明によれば、通帳類の表紙の硬さや材質の変化に柔軟に対応し、安定した表紙捲り動作を実現できる。
【発明を実施するための最良の形態】
【００１６】
以下、本発明を図面に示す実施の形態を参照して詳細に説明する。  
図１は本発明の一実施の形態である通帳類印刷装置１を示す全体構成図である。
【００１７】
この通帳類印刷装置１は取出手段としての通帳類取込部４を備え、この通帳類取込部４には通帳類Ｔが閉じた状態で複数冊積層されてセットされ、一冊ずつ取り込まれるようになっている。この取込まれた通帳類Ｔは複数個の搬送ローラ対２によって搬送路３に沿って搬送される。搬送路３中には通帳類Ｔの搬送方向に沿って第１の読取手段としての第１のＯＣＲ読取部５、本願発明に係わる頁捲り装置６、直接印刷部７、印刷手段としての中間転写印刷部８、第２の読取手段としての第２のＯＣＲ読取部９、及び通帳類折畳み部１４、さらに、無線情報処理手段としての無線ＩＣ Ｒ／Ｗユニット１０が配設されている。
【００１８】
また、搬送路３の排出端側には通帳類Ｔの排出方向を第１の方向と第２の方向に切り換える排出ゲート１１が設けられ、第１の方向には正常な通帳類Ｔを集積させる正常集積部１２、第２の方向には不良な通帳類を集積させる不良集積部１３が配設されている。
【００１９】
上記した通帳類取込部４は、複数の通帳類Ｔを重ねたまま投入可能であり、制御部の指示に応じて最も下側の１冊のみが取り出し手段であるピッカ（図示しない）によって取り出され、第１のＯＣＲ読取部５の方向に取り込まれる。
【００２０】
第１のＯＣＲ読取部５は、隣の頁捲り装置６で必要な頁が開かれた通帳類Ｔに初めから付与されている後述する通帳固有番号を、ＯＣＲで認識するものである。通帳固有番号は、後述するように一定のエリアに文字で表現されている。ここでは英数字が使われている。
【００２１】
頁捲り装置６は、後で詳しく述べるように通帳類取込部４から取り込まれた通帳類Ｔの表紙を捲ったり、さらに内側の中紙をめくる機能を有する。
【００２２】
めくった頁の認識は、通帳類Ｔに当初より印刷されているバーマークを、図示しないバーマークリーダで読み取ることで行う。
【００２３】
直接印刷部７は、印刷する通帳類Ｔの印刷頁表面上に、インクリボン７ｂ、サーマルヘッド７ａの順に押し当てて、サーマルヘッド７ａが選択的に発熱することで画像や文字を印刷する。この実施の形態では、中間転写印刷部８で印刷される情報に比べて、セキュリティ度合いが低い情報を直接印刷部７によって印刷する。
【００２４】
なお、通帳類Ｔの全てが直接印刷部７で印刷されるわけではなく、また、直接印刷部７で印刷される頁は、中間転写印刷部８で印刷される頁とは異なる。このため、直接印刷部７での印刷が発生した場合は、まず印刷する頁を頁捲り装置６で捲り出して直接印刷を行った後に、再度頁捲り装置６に搬送して中間転写印刷を行う頁を捲り出す。直接印刷部７で印刷される情報がない場合は、通帳類Ｔは直接印刷部７を通過する。
【００２５】
図２は、上記した中間転写印刷部８を示すものである。
【００２６】
中間転写印刷部８は機能的に情報印刷部（以下、印刷部という）１６と、オーバーコート転写部（以下、転写部という）１７とを有して構成されている。
【００２７】
印刷部１６としては熱溶融転写印刷方式のものが採用されている。即ち、サーマルヘッド１９とプラテンローラ２０に挟まれるように中間転写フィルム２１と溶融インクリボン２２を配置し、これら中間転写フィルム２１と溶融インクリボン２２によって中間転写フィルム２１の表面に情報等を印刷する。
【００２８】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２９】
溶融インクリボン２２のベースフィルム厚やインク層厚は、印刷ドット再現性に極めて重要なパラメータであり、インクリボン総厚としては３〜２５μｍであり、望ましくは４〜１０μｍである。
【００３０】
一方、中間転写フィルム２１の後述するベースフィルムの厚さや、受像兼接着総厚は、接着性や膜切れ特性に影響を与えるパラメータであり、中間転写フィルム２１の総厚は、１０〜１００μｍであり、望ましくは２５〜５０μｍである。
【００３１】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００３２】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。
【００３３】
このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００３４】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
【００３５】
フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３６】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３７】
図３（ａ）〜（ｃ）は中間転写フィルム２１の構成を示す断面図である。
【００３８】
図３（ａ）に示す中間転写フィルム２１は、基材としてのポリエチレンテレフタレート（以下、ＰＥＴという）のフィルム２６の表面に、透明樹脂によるホログラム形成層と金属化合物の蒸着層による透明ホログラム層２８、受像層兼接着層としてのポリエステル系樹脂２９を積層したものである。
【００３９】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００４０】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００４１】
その他、中間転写フィルム２１としては紫外線によって発光する蛍光発色層などの機能層を設け、転写対象への転写と同時にこれらの機能層も転写するものであってもよい。
【００４２】
図４は上記した通帳類取込部４にセットされる通帳類Ｔを開いた状態で示すものである。
【００４３】
この通帳類Ｔは表紙Ｔａを有し、この表紙Ｔａには綴じ目部Ｔｔを介して複数枚の中紙Ｔｎが綴じ込められている。開かれた表紙Ｔａの内面側には通帳類固有情報としての通帳類固有番号４２が記録されているとともに、無線ＩＣ４３が装備されている。
【００４４】
図５は上記した通帳類印刷装置１の駆動制御系を示すブロック図である。
【００４５】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００４６】
印刷装置１には生成手段としての生成部５８ａ及び判別手段としての判別部５８ｂを有して構成される装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線読取／書込部７３が配設されている。
【００４７】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
【００４８】
ヒータ温度制御部６０には制御回路を介してヒートローラ３５のヒータ６５が接続されている。通帳類搬送制御部６１には制御回路を介して通帳類搬送機構２Ａ、通帳類取込機構４ａ、頁検知部６ｂ、頁捲り機構６ａ及び排出ゲート制御部１１ａが接続されている。
【００４９】
画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。
【００５０】
光学式文字認識部６９には第１及び第２の読取り光学系５，９が接続されている。無線ＩＣ読取／書込部７３には、無線ＩＣ Ｒ／Ｗユニット１０が接続されている。
【００５１】
次に、上記したように構成される通帳類印刷装置１の動作について説明する。
【００５２】
まず、図１に示す通帳類取込部４から通帳類Ｔが１冊のみ取出されて頁捲り装置６に搬送され、ここで、通帳類Ｔの表紙Ｔａが後述するように捲られて所定のページが開いた状態となる。この後、第１のＯＣＲ読取部５で通帳類Ｔそれぞれに付与されている固有情報４２が読み取られ、認識処理される。この認識処理された固有情報４２は、セキュリティ情報に追加され、サーマルヘッド１９に転送される黒印刷データとされる。
【００５３】
一方、このときには、図２に示すように送出側リール３２から中間転写フィルム２１が繰り出され、そのホログラム位置を示すマークがセンサ３３によって検知される。このマーク検知結果を用いて中間転写フィルム２１が印刷開始位置に制御される。
【００５４】
ついで、中間転写フィルム２１の所定の位置に固有印刷情報等がサーマルヘッド１９により印刷される。印刷される情報はＹ（イエロー），Ｍ（マゼンタ），Ｃ（シアン）の三原色に加えて黒の４色重ね合せによるカラー印刷である。これら複数色の重ね合わせ印刷は、中間転写フィルム２１がサーマルヘッド１９を色数と同じ回数往復することで、重ね合わせ印刷が行われる。また、印刷される情報は、反転画像であるという特徴がある。なお、印刷色は上記４色に加えて、蛍光顔料を含んだインクなど機能性インクを付与してもよい。
【００５５】
このように固有印刷情報が印刷された中間転写フィルム２１は順方向（ヒートローラ３５の方向）に巻き取られ、図６（ａ）に示すように経路途中の転写部マーク検知センサ３９によって中間転写フィルム２１の位置が把握される。この把握結果に基づいて転写開始位置まで中間転写フィルム２１が送られる。
【００５６】
また、このとき通帳類Ｔは、転写される頁が開かれた状態で図６（ｂ）に示すように取り込まれて、ヒートローラ３５に対して決められた位置に搬送される。転写される頁は、表紙見返し頁でも、他の中紙頁でもかまわない。
【００５７】
このように互いに位置決めされた中間転写フィルム２１と通帳類Ｔの該当ベージは、図６（ｃ）に示すように円周の一部が切り欠かれた形状の金属製ヒートローラ３５の回転と共に合わされ、搬送と同時に加圧されるとともに加熱される。その後、図７に示すように通帳類Ｔに対して６０°〜１１０°の角度をもって転写フィルムベース２６が引き上げられて、固有印刷情報と受像兼接着層２９、ホログラム層２８の転写が完了し、図８に示すように固有情報４２、固有情報４２が転写されたものを含み、数字、文字、記号、バーコード等からなるセキュリティ情報４６及び所持人のカラー顔画像４４が転写される。転写が完了した通帳類Ｔは、図６（ｄ）に示すように頁が開かれた状態のまま次の第２のＯＣＲ読取部９に搬送される。
【００５８】
上記した第１のＯＣＲ読取部５で読み取られた通帳類Ｔの固有情報４２（この場合は文字）は光学式文字認識部６９で認識され、この認識結果が印刷装置制御部５８に送信される。印刷装置制御部５８では、データ入力制御部５０から送られてくる画像入力部５６で取得された所持人のカラー顔画像データ、操作パネル５５で入力された所持人のセキュリティ文字情報などに通帳類固有の文字情報に基づいた印刷データを加えて処理を行い、生成部５８ａで印刷データを生成し、中間転写画像処理部６８に送信する。これにより、通帳類固有情報が付与されたセキュリティ情報が中間転写フィルム２１の表面に印刷される。
【００５９】
また、第２のＯＣＲ読取部９で読み取られた固有情報４２と、固有印刷情報とは光学式文字認識部６９で認識され、この認識結果が印刷装置制御部５８に送信される。印刷装置制御部５８では、判別部５８ｂでデータの照合処理を行い、判断した結果を通帳類搬送制御部６１に送信する。
【００６０】
判別部５８ｂでのデータの照合結果で不良と判断された場合には、印刷装置制御部５８からデータ入力制御部５０に対し、作成した通帳類が不良であったことを通知する。データ入力制御部５０では作成された通帳類が不良であったという通知を受信することに基づいて再度同一の印刷処理命令を印刷装置制御部５８に送信し、自動的に通帳類の再作成を行わせる。
【００６１】
通帳類搬送・制御部６１では照合の結果から、正常通帳類であれば正常通帳類集積部１２へ搬送する。また、不良通帳類であれば不良通帳類集積部１３へ搬送するが、このとき、すぐさま不良通帳類集積部１３に通帳類Ｔを搬送して集積するのではなく、無線ＩＣ Ｒ／Ｗユニット１０にて、不良通帳類であることを知らせる旨のデータを通帳類Ｔの無線ＩＣ４３に記録してから不良通帳類集積部１３に集積する。
【００６２】
また、第２のＯＣＲ読取部９で読み取ったデータの照合結果が正しかった場合には、上述した中間転写印刷部８の印刷動作で説明したように、第１のＯＣＲ読取部５で読み取った通帳類固有情報４２を光学式文字認識部６９が認識し、その認識結果を印刷装置制御部５８に送信している。従って、印刷装置制御部５８では、データ入力制御部５０から送られてきた、画像入力部５６で取得された所持人のカラー顔画像データ、操作パネル５５で入力された所持人のセキュリティ文字情報などに通帳類固有の文字情報に基づいた記録データを加えて処理を行い、無線ＩＣへの記録データを生成し、無線ＩＣ Ｒ／Ｗ制御部７３に送信する。これにより、通帳類固有情報が付与されたセキュリティ情報が無線ＩＣＲ／Ｗユニット１０にて通帳類Ｔの無線ＩＣ４３に記録（書き込み）される。
【００６３】
書き込み動作（通信）が終了したら、正常にデータが書き込めたかどうかをベリファイする。即ち、無線ＩＣ Ｒ／Ｗユニット１０は記録の終わった通帳類Ｔの無線ＩＣ４３から書き込んだデータを読み出し、送信したデータと照合を取る。照合結果が正しかった場合は正常通帳類集積部１２へ通帳類Ｔを搬送し、通帳類Ｔを集積する。
【００６４】
照合結果が正しくなかった場合は第２のＯＣＲ読取部９での照合エラーと同様に、無線ＩＣ Ｒ／Ｗユニット１０より、不良通帳類である旨を知らせるデータを通帳類Ｔの無線ＩＣ４３に記録し、不良通帳類集積部１３へ集積する。
【００６５】
ところで、上記した頁捲り装置６は図９に示すように構成されている。
【００６６】
ここで前提となる通帳類Ｔは通常銀行等で使用されているようなものを想定しており、構成としては図４で説明したように表紙Ｔａに中紙Ｔｎが綴じこまれており、通帳類Ｔを閉じた際に中紙Ｔｎはその先端面が表紙Ｔａに対しておおよそ揃うようなものである。また、表紙Ｔａは硬質で、ほとんど曲がらないもので、中紙Ｔｎは表紙Ｔａに対して薄く柔軟な材質で構成されているものとする。
【００６７】
頁捲り装置６は通帳類Ｔの搬送方向に亘って所定間隔を存して配設される搬送手段としての第１の搬送ローラ対２ａ，２ｂと第２の搬送ローラ対２ｃ，２ｄ、さらに、第１の搬送ガイド板８１ａと第２の搬送ガイド板８１ｂを有している。
【００６８】
上下対になっている第１及び第２の搬送ローラ対２ａ，２ｂ、２ｃ，２ｄは上下とも回転駆動可能となっており、下部側の搬送ローラ２ｂ，２ｄはバネ（図示しない）によって付勢されてピンチ力を発生させ通帳類Ｔを搬送する。第１及び第２の搬送ローラ対２ａ，２ｂ、２ｃ，２ｄは第３の駆動モータ９０の駆動によって回転される。第１及び第２の搬送ガイド板８１ａ，８１ｂは第１及び第２の搬送ローラ２ａ，２ｂ、２ｃ，２ｄの周辺に配置され、通帳類Ｔの動きを規制する。
【００６９】
また、第１の搬送ローラ対２ａ，２ｂと第２の搬送ローラ対２ｃ，２ｄとの間には、捲りローラ８２及び通帳押上げガイド８３が配設されている。捲りローラ８２は捲りローラアーム８４の上端部に正逆方向に回転自在に取付けられ、捲りローラアーム８４の下端部は支軸８５により揺動自在に支持されている。捲りローラアーム８４は駆動手段としての第１の駆動モータ８８の正逆回転により揺動され、その揺動位置は可動範囲内であれば任意に設定可能となっている。通帳押し上ガイド８３は、捲りローラアーム８４の回転中心と同軸で揺動可能となっており、捲りローラアーム８４とは独立して揺動位置を設定できるようになっている。
【００７０】
捲りローラ８２は駆動手段としての第２の駆動モータ８９の正逆回転により正逆方向に回転される。捲りローラ８２は通帳類Ｔが搬送されくるまでは２点鎖線で示す位置にあり、搬送されてくる通帳類Ｔの表紙Ｔａの先端部を当接させるようになっている。このときの捲りローラ８２の高さは、その中心が通帳類Ｔの表紙Ｔａの高さに一致するような位置が望ましい。
【００７１】
捲りローラ８２に対する通帳類Ｔの当接は、検知センサ９１によって検知されるようになっている。検知センサ９１には信号回路を介して制御手段としての制御部９２が接続され、制御部９２には制御回路を介して上記した第１乃至第３の駆動モータ８８〜９０が接続されている。
【００７２】
また、第１の搬送ローラ対２ａ，２ｂの上部側の搬送ローラ２ａ及び第１の搬送ガイド板８１ａは一体的にユニット化され、揺動アーム８６によって揺動されるようになっている。揺動アーム８６は付勢部材としてのバネ材８７により上部側の搬送ローラ２ａを下部側の搬送ローラ２ｂに当接させる方向に付勢されている。上部側の搬送ローラ２ａ及び第１の搬送ガイド板８１ａは、後述する表紙Ｔａの捲り動作の際には、バネ材８７の付勢力に抗して退避される。
【００７３】
次に、上記した頁捲り装置６による通帳類Ｔの頁捲り動作について図１０を参照して説明する。
【００７４】
上述したように通帳類取込部４から取り出された通帳類Ｔは頁捲り装置６に送られ、図１０（ａ）に示すように第１の搬送ローラ対２ａ,２ｂによりその綴目部Ｔｔと反対の端部を先端にして右から左方向に挟持搬送され、その先端部が捲りローラ８２に当接される。この当接は検知センサ９１によって検知され、検知センサ９１から信号回路を介して制御部９２に検知信号が送信される。この検知信号に基づいて制御部９２は制御回路を介して第３の駆動モータ９０を停止させて通帳類Ｔの搬送を停止させるとともに、第１及び第２の駆動モータ８９，９０を駆動させて図１０（ｂ）に示すように捲りローラアーム８４を上方へ回動させるとともに、捲りローラ８２を反時計方向に回転させる。これにより、通帳類Ｔの表紙Ｔａと中紙Ｔｎの一部（数枚）が一緒に上方へ持ち上げられたのち捲りローラ８２の上部側に捲り上げられる。このとき、第１の搬送ローラ対の上部側の搬送ローラ２ａと第１の搬送ガイド板８１ａはバネ材８７の付勢力に抗して上方へ退避され表紙Ｔａが開くことを妨げないようにすると同時に、バネカによって表紙Ｔａを押さえ、通帳類Ｔが後退することを防ぐ。
【００７５】
なお、表紙Ｔａのみを捲ることは困難であるため、上述のように中紙Ｔｎもその数枚は一緒に捲り上げられる。このように表紙Ｔａと中紙Ｔｎを一緒に捲り上げたのちは、図１０（ｃ）に示すように、捲りローラ８２が逆転されて時計回りに回転される。これにより、捲りローラ８２と中紙Ｔｎとの摩擦力によって、中紙Ｔｎが従来のめくり動作のように、座屈しながらめくり戻される。
【００７６】
図１０（ｄ）に示すように、全ての中紙Ｔｎがめくり戻されても、表紙Ｔａは座屈することはないので表紙Ｔａのみが捲りローラ８２の上部側に乗った状態で残り、中紙Ｔｎの捲り戻しが完了する。
【００７７】
なお、中紙Ｔｎのめくり戻しが完全に終了したこと（つまり表紙Ｔａのみがめくれたこと）をめくり装置内で検知することは困難なため、めくり戻し動作としては、実験的に中紙Ｔｎをめくり戻すのに必要な時間（捲りローラ８２の回転数）を求めておき、ある一定時間，捲りローラ８２を回転させるだけとする。基本的には中紙Ｔｎはこの時点で全てめくり戻されているはずであるが、中紙Ｔｎが実際にめくり戻し終わったのかは装置としては認識していないため、一度、図１中の第１のＯＣＲ読取部５まで、通帳類Ｔを搬送し、そこで通帳類Ｔに予め印刷してある通帳ページ番号（もしくはページが判断できるマーク）を読み取り、現在開いているページが確かに表紙Ｔａのみをめくったものであることを確認する。従って、通帳類Ｔには上記の、予め印刷してある通帳ページ番号（もしくはページが判断できるマーク、頁マーク）が必要であり、かつそれを判別する機能、即ち、図５に示す判別部５８ｂが必要である。
【００７８】
通帳ページ番号やページマークについては公知例としてあげた特開平１０−２５５１０９号公報では頁マークＭとして述べられているが、それと同様に本案ではＯＣＲ機能を有するため、マークでなくとも単なる頁番号が規定の位置に印刷されていれば良い。
【００７９】
本提案では図４に示すように、表紙Ｔａにページ番号（１）が記録されている。
【００８０】
また、ページ番号（あるいは頁マーク）は表紙Ｔａだけでなく、中紙Ｔｎを捲っていく際にも、該当ページを捲ることが出来たがどうかを確認するのに必要なため、各中紙ページにも印刷されている必要がある。つまり、表紙Ｔａ、中紙Ｔｎによらず、捲り動作を行った後には、必ず該当ページを捲ることが出来たかどうかを一度、図１中の第１のＯＣＲ読取部５まで通帳類Ｔを搬送してページ番号を確認する必要がある。
【００８１】
また、中紙Ｔｎを捲り戻す際には、中紙Ｔｎが折れることを防止するため、スペース的な制約のなかで、なるべく捲りローラ８２は起こした状態で捲り返すことが望ましく、さらに、捲りローラ８２は小径である方が有利である。
【００８２】
中紙Ｔｎの捲り戻しが完了したのちは、第３の駆動モータ９０を駆動させて図１０（ｅ）に示すように、再度、通帳類Ｔを左方向に搬送するとともに、図１０（ｆ）に示すように、捲りローラ８２を最も高い位置まで移動する。これにより、表紙Ｔａに対して捲りローラ８２により反搬送方向の力が付与されて、表紙Ｔａは綴目部Ｔｔを中心にして開かれて開帳され、捲り動作が完了する。
【００８３】
なお、表紙Ｔａを捲った後に、さらに中紙Ｔｎを捲る必要がある際には、表紙Ｔａが全く曲がらない本例の場合には、従来の捲り動作で行っているような、通帳押上ガイド８３によって通帳類Ｔ自身を予めカールさせることは困難である。
【００８４】
従って、通帳類押上ガイド８３は動作させず、中紙Ｔｎに対しては捲りローラ８２と中紙Ｔｎとの摩擦力を十分評価し、中紙捲りは通帳類Ｔのカールがなくとも行えるような工夫が必要となる。
【００８５】
一方、多少の柔軟性を持ち合わせる表紙を有する通帳類の場合、もしくは通常の通帳類の場合には、中紙Ｔｎをめくる際には、従来通り通帳押上ガイド８３を動作させ、予め通帳類Ｔをカールさせておくことで安定した中紙Ｔｎ捲りが行える。
【００８６】
従って、通帳押上ガイド８３を捲りローラ８２及び捲りローラアーム８４とは独立して動作可能としておくことにより、表紙の硬さが異なる通帳類が混在し、そのいずれの通帳類をも捲り動作する必要がある場合でも、予めその通帳類の種類を何らかの方法で検知しておけば、安定した表紙捲り及び中紙めくりが実現できる。
【００８７】
さらに、従来の捲り方法においては、表紙の表面の材質や表面状態等によって捲りローラと通帳類の表紙との間の摩擦力が異なってしまうことから、表紙が異なる通帳類を同時に扱うには微調整が必要であるが、この実施の形態では綴目部Ｔｔを中心に表紙Ｔａを「開く」ことになるため、摩擦力については特に注意する必要はない。
【００８８】
上記したようにこの実施の形態によれば、通帳類Ｔの表紙Ｔａが硬質で、大きく屈曲させることができないものであっても捲ることができる。
【００８９】
また、表紙Ｔａの材質が異なる複数種の通帳類Ｔの表紙Ｔａをも捲ることができる。
【００９０】
さらに、通帳類Ｔの表紙Ｔａに無線ＩＣ４３等が内蔵されていてもその破損を防止することができる。
【００９１】
なお、本発明は、上記一実施の形態に限られることなく、その要旨の範囲内で種々変形実施可能なことは勿論である。
【図面の簡単な説明】
【００９２】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同通帳類印刷装置で印刷される通帳類を開いた状態で示す平面図。
【図５】同通帳類印刷装置の制御部を示すブロック図。
【図６】同転写印刷部の転写動作を示す図。
【図７】同転写印刷部の転写動作の一部を拡大して示す図。
【図８】同通帳類印刷装置で印刷された通帳類を示す平面図。
【図９】同通帳類印刷装置の頁捲り装置を示す構成図。
【図１０】同頁捲り装置の頁捲り動作を示す図。
【図１１】従来の頁捲り装置の動作を示す図。
【符号の説明】
【００９３】
Ｔａ…表紙、Ｔｎ…中紙、Ｔｔ…綴目部、Ｔ…通帳類、２ａ〜２ｄ…第１及び第２の搬送ローラ対（搬送手段）、８２…捲りローラ、９２…制御部（制御手段）、８８〜９０…第１乃至第３の駆動モータ（駆動手段）、４３…無線ＩＣ。
【図１】
2005144756.tif 000003
【図２】
2005144756.tif 000004
【図３】
2005144756.tif 000005
【図４】
2005144756.tif 000006
【図５】
2005144756.tif 000007
【図６】
2005144756.tif 000008
【図７】
2005144756.tif 000009
【図８】
2005144756.tif 000010
【図９】
2005144756.tif 000011
【図１０】
2005144756.tif 000012
【図１１】
2005144756.tif 000013